(57)【要約】  送風機は、クロスフローファンと、クロスフローファンに対向して配設されているスタビライザと、スタビライザとの間に通風路を形成するリアガイダと、クロスフローファンの回転軸の垂直方向に配置された側壁と、を有し、リアガイダの出口側には、端部からクロスフローファンの回転軸に対して軸方向に所定範囲に亘って、リアガイダの中央部と比べてスタビライザ側に突出している突出部が形成されている。これにより、風速が速く、流れが安定している中央部では通風路を最大限に確保できる一方、風速が遅く、流れが不安定な側壁近傍では静圧を向上させ、流れを安定させることができる。
2014199589.tif 000002
【特許請求の範囲】
【請求項１】
クロスフローファンと、
前記クロスフローファンに対向して配設されているスタビライザと、
前記スタビライザとの間に通風路を形成するリアガイダと、
前記クロスフローファンの回転軸に対して垂直方向に配設された側壁と、を有し、
前記リアガイダの出口側には、端部から前記回転軸の軸方向に所定範囲に亘って、前記リアガイダの中央部と比べて前記スタビライザ側に突出している突出部が形成されている送風機。
【請求項２】
前記リアガイダの下流において回動可能に設けられ、吹き出し風の左右方向を変更する複数の左右風向変更羽根をさらに備え、
前記リアガイダにおいて前記突出部と前記中央部とをつなぐ段差部は、前記複数の左右風向変更羽根のうち最も前記側壁側の羽根に対応する領域に配置されている請求項１に記載の送風機。
【請求項３】
前記突出部の軸方向長さをＬ、前記クロスフローファンの半径をＲとした場合、Ｒ／５≦Ｌ≦３Ｒを満たす請求項１に記載の送風機。
【請求項４】
前記クロスフローファンの中心点から前記リアガイダと前記クロスフローファンの最近接点とを繋ぐ線と、前記クロスフローファンの中心点から前記リアガイダの吹出し部とを繋ぐ線とがなす角度をＸとした場合、Ｘは８０°≦Ｘ≦１３０°を満たし、
前記スタビライザは、Ｘが上記数式を満たす角度の位置までは、前記軸方向において同一形状であり、上記数式を満たす角度を越えた範囲に、前記突出部が形成されている請求項１に記載の送風機。
【請求項５】
前記リアガイダにおいて前記突出部と前記中央部とをつなぐ段差部は、前記突出部から前記中央部にかけて高さが除々に小さくなる請求項１に記載の送風機。
【請求項６】
前記段差部の傾斜角度は、６０度以下である請求項５に記載の送風機。
【請求項７】
前記スタビライザの出口側には、端部から前記軸方向に所定範囲に亘って、前記スタビライザの中央部と比べて前記リアガイダ側に突出している突出部が形成されている請求項１に記載の送風機。
【請求項８】
吸込み口と吹き出し口を有する本体内に、熱交換器と、請求項１〜７のいずれか１項に記載の送風機とを備えた空気調和機。
【発明の詳細な説明】
【技術分野】
【０００１】
本発明は、送風機およびこれを用いた空気調和機に関するものである。
【背景技術】
【０００２】
図１１は、従来の横断流送風機及び当該送風機を用いた空気調和機の室内ユニットの横断面図である。図１２は、同室内ユニットの側壁近傍部分を示す斜視図である。【０００３】
図１１、図１２において、送風機においては、複数のブレード１０１からなるクロスフローファン１０２、リアガイダ１０３、およびスタビライザ１０４とで空気の通風路が形成されている。そしてクロスフローファン１０２の回転軸の垂直方向に配設された左右２個の側壁１０５により、軸方向の通風路が制約されている。【０００４】
空気調和機であれば、空気は、吸い込みグリル１０６、フィルター１０７及び熱交換器１０８を通過してクロスフローファン１０２に流れ込む。さらに、クロスフローファン１０２に流れ込んだ空気は、リアガイダ１０３とスタビライザ１０４と側壁１０５で形成された通風路（ディフュザー）１０９を通過して、送風機の吹き出し部から放出される。【０００５】
一般に上記のような構成を有する横断流送風機において、クロスフローファン１０２から吹き出される空気の流れは、通風路１０９におけるクロスフローファン１０２の軸方向の中央部では２次元流れが形成されている。これに対し、側壁１０５の近傍では流体の粘性により、空気の２次元流れがくずれている。そのため、側壁１０５の近傍では、空気流れの変動成分が増大して、送風機の騒音が上昇するという課題を有している。【０００６】
また、空気調和機では、熱交換器１０８およびフィルター１０７の抵抗により、空気の流速が失速して、側壁１０５の近傍でさらに２次元流れのくずれが顕著に発生する。そのため、空気流れの剥離が断続的に発生して非定常的な流れとなり、クロスフローファン１０２の流量性能も大きく減少し、さらには騒音上昇にもつながるという課題を有している。【０００７】
これらの課題に対し、クロスフローファン１０２の吹き出し部から送風機の吹き出し部の通風路１０９において、徐々にクロスフローファン１０２の回転軸方向の通風路を縮小するように、側壁の形状を変化させることが提案されている（例えば、特許文献１参照）。これにより、側壁近傍での流れの剥離を抑制し、流れを安定化させることで騒音の低減を図っている。
【先行技術文献】
【特許文献】
【０００８】
【特許文献１】特開平０８−１２１３９６号公報
【発明の概要】
【０００９】
特許文献１に記載されている上記構成では、低風量運転時の異音発生には効果的である。しかしながら、特に高能力運転時のような大風量条件下においては、特許文献１に記載されている構成では、通風路の大きな抵抗となる。その結果、クロスフローファンの動力であるファンモータの消費電力が増大するという課題があった。
【００１０】
本発明は、上記従来の課題を解決するもので、側壁近傍での異音を低減すると同時に、空気調和機全体としての風量性能を向上させ、省エネルギー性能の高い送風機および当該送風機を用いた空気調和機を提供することを目的とする。
【００１１】
上記目的を達成するために、本発明にかかる送風機は、クロスフローファンと、クロスフローファンに対向して配置されたスタビライザと、スタビライザとの間に通風路を形成するリアガイダと、クロスフローファンの回転軸に対して垂直方向に配置された側壁と、を有し、リアガイダの出口側には、端部から回転軸の軸方向に所定範囲に亘って、リアガイダの中央部と比べてスタビライザ側に突出している突出部が形成されているものである。
【００１２】
これにより、突出部が形成されている領域の通風路は、中央部における通風路よりも幅が狭くなる。その結果、側壁近傍における空気流れの剥離を抑制することで流れを安定させ、異音の低減を図ることが可能となる。
【００１３】
本発明によれば、リアガイダの出口側における中央部および側壁近傍の風量性能を確保すると同時に、側壁近傍における空気の流れの剥離を抑制することで流れを安定させ、異音の低減を図ることが可能となる。これにより、低騒音かつ省エネルギー性の高い送風機及び当該送風機を用いた空気調和機を提供することができる。
【図面の簡単な説明】
【００１４】
【図１】図１は、本発明の実施の形態１に係る送風機を用いた空気調和機の室内ユニットを示す斜視図である。
【図２】図２は、同室内ユニットの横断面図である。
【図３】図３は、同室内ユニットの吹き出し口の拡大概略図である。
【図４】図４は、同室内ユニットの吹き出し口の右側壁近傍の斜視図である。
【図５】図５は、同室内ユニットの吹き出し口の右側壁近傍における図３の線５−５による断面図である。
【図６】図６は、同室内ユニットの吹き出し口を同吹き出し口の出口のリアガイダに垂直な角度よりみた平面図である。
【図７】図７は、同室内ユニットのリアガイダにおける突出部の端部からの軸方向長さ（Ｌ）と風量の関係を示したグラフである。
【図８】図８は、同室内ユニットのリアガイダにおける段差部の角度（Ｄ１）と風量の関係を示したグラフである。
【図９】図９は、本発明の実施の形態２に係る送風機を用いた空気調和機の左右方区変更羽根と突出部との位置関係を説明する図である。
【図１０】図１０は、本発明の実施の形態３に係る送風機を用いた空気調和機のスタビライザを説明する図である。
【図１１】図１１は、従来の送風機及び当該送風機を用いた空気調和機の室内ユニットを示す横断面図である。
【図１２】図１２は、同室内ユニットの側壁近傍部分を示す斜視図である。
【発明を実施するための形態】
【００１５】
第１の発明は、クロスフローファンと、クロスフローファンに対向して配設されているスタビライザと、スタビライザとの間に通風路を形成するリアガイダと、クロスフローファンの回転軸に対して垂直方向に配置された側壁と、を有する送風機であって、リアガイダの出口側には、端部から回転軸の軸方向に所定範囲に亘って、リアガイダの中央部と比べてスタビライザ側に突出している突出部が形成されている。これにより、突出部が形成されている領域の通風路は、中央部における通風路よりも幅が狭くなる。
【００１６】
このような構成とすることで、風速が速く、流れが安定している中央部では、スタビライザとリアガイダで構成される通風路を最大限に確保できる。そして、風速が遅く、流れが不安定な側壁近傍では静圧を向上させ、流れを安定させることができる。従って、風量性能の向上と側壁近傍の流れの剥離に伴う騒音の低減の両立が実現できる。
【００１７】
第２の発明は、第１の発明において、リアガイダの下流において回動可能に設けられ、吹き出し風の左右方向を変更する複数の左右風向変更羽根をさらに備え、リアガイダにおける突出部と中央部とをつなぐ段差部は、複数の左右風向変更羽根のうち最も側壁側の羽根に対応する領域に配置されている。
【００１８】
これにより、通風路を狭くして騒音防止を図る領域を必要最小限に抑え、風量の大きい中央部の領域を最大限に確保することができる。
【００１９】
第３の発明は、第１の発明において、突出部の軸方向長さをＬ、クロスフローファンの半径をＲとした場合、Ｒ／５≦Ｌ≦３Ｒを満たす。
【００２０】
このような構成とすることで、通風路を広くとり、風量の大きい中央部の領域を適切に確保できると同時に、側壁近傍の流れを安定させる領域を適切に確保できる。
【００２１】
第４の発明は、第１の発明において、クロスフローファンの中心点からリアガイダとクロスフローファンの最近接点とを繋ぐ線と、クロスフローファンの中心点からリアガイダの吹出し部とを繋ぐ線とがなす角度をＸとした場合、Ｘは８０°≦Ｘ≦１３０°を満たし、スタビライザは、Ｘが上記数式を満たす角度の位置までは、軸方向において同一形状であり、上記数式を満たす角度を越えた領域に、突出部が形成されている。
【００２２】
このような構成とすることで、クロスフローファンとリアガイダの最近接点から吹き出し口にかかる流れが不安定な領域では、クロスフローファンの軸方向のリアガイダ形状を同一とし、流れを安定させることが可能となる。さらに、側壁近傍にて、風速が遅くなり流れの剥離が生じる領域から適切に通風路を狭めることが可能となる。
【００２３】
第５の発明は、第１の発明において、段差部は、突出部から中央部にかけて高さが徐々に小さくなる。
【００２４】
このような構成とすることで、段差部での空気流れの剥離を抑制することが可能となる。
【００２５】
第６の発明は、第１の発明において、段差部の傾斜角度は、６０度以下である。
【００２６】
このような構成とすることで、段差部での空気流れの剥離を抑制することが可能となる。
【００２７】
第７の発明は、第１の発明において、スタビライザの出口側には、端部から軸方向所定範囲に亘って、スタビライザの中央部と比べてリアガイダ側に突出している突出部が形成されている。
【００２８】
このような構成とすることで、スタビライザ側においても、騒音発生を防止しつつ、風量を適切に確保することができる。
【００２９】
第８の発明は、吸込み口と吹き出し口を有する本体内に、熱交換器と上記第１〜第７のいずれかの発明に記載の送風機とを設けた空気調和機である。
【００３０】
このような構成とすることで、低騒音で風量性能の高い空気調和機を提供することができる。
【００３１】
以下、本発明の実施の形態について、図面を参照しながら説明する。なお、この実施の形態によって本発明が限定されるものではない。
【００３２】
（実施の形態１）
図１は本発明の実施の形態１に係る送風機を用いた空気調和機の室内ユニットを示す斜視図である。図２は同室内ユニットの横断面図である。
【００３３】
図１、図２において、空気調和機の室内ユニットの本体１は、吸込み口１ａと吹き出し口１ｂとの間に、クロスフローファン３、リアガイダ５、およびスタビライザ４を有する送風機と、熱交換器２とを備える。クロスフローファン３を運転して、吸込み口１ａより室内の空気を取り入れ、熱交換器２で熱交換された空気を吹き出し口１ｂより吹き出す。
【００３４】
クロスフローファン３から吹き出し口１ｂまでの通風路１３においては、スタビライザ４、クロスフローファン３の背面側から吹き出し口１ｂにかけて下面壁を形成するリアガイダ５、左右の側壁(図示せず)と、および断面が略円弧状で、吹き出し空気の上下方向の向きを制御する上下羽根６が形成されている。
【００３５】
なお、上述した用語「スタビライザ」は、クロスフローファン３の下流付近に位置し、クロスフローファン３の前部付近に発生する渦を安定化させるための湾曲面形状を有する部材、当該部材の下流側に位置し、クロスフローファン３により搬送される空気の通風路の上側を構成する壁部分との両者を含めたものを意味する。リアガイダ５、スタビライザ４、および側壁（図示せず）とで通風路１３が形成されている。
【００３６】
図３はクロスフローファン３から吹き出し口１ｂにかけての拡大概略図である。図４は室内ユニットの吹き出し口の右側壁近傍の斜視図である。図５は右側壁近傍における図３の線５−５による断面図である。図６は吹き出し口の出口のリアガイダ５に垂直な角度よりみた平面図である。
【００３７】
本実施の形態では、リアガイダ５の出口側には、端部５ｃからクロスフローファン３の回転軸方向に所定範囲に亘って、リアガイダ５の中央部５ａ１と比べてスタビライザ４側に突出している突出部５ａ２が形成されている。言い換えると、クロスフローファン３の軸方向に対して側壁１２近傍から一定の長さのリアガイダ５出口の出口側にかけての流路の断面形状を、中央部５ａ１のリアガイダ出口の出口側にかけての流路の断面形状より流路が狭くなる構成にしてある。
【００３８】
これにより、突出部５ａ２が形成されている領域の通風路１３は、中央部５ａ１における通風路１３よりも幅（クロスフローファン３の回転軸方向に対して垂直な方向の距離）が狭くなる。その結果、風速が速く、流れが安定している中央部５ａ１では、通風路を最大限に確保できる。これに対し、風速が遅く、流れが不安定な側壁１２近傍では、静圧を向上させ、流れを安定させる構成が可能となる。従って、風量性能の向上と側壁近傍の流れの剥離に伴う騒音の低減の両立が実現できる。
【００３９】
リアガイダ５の出口側には、突出部５ａ２、中央部５ａ１、および突出部５ａ２と中央部５ａ１とをつなぐ段差部５ｂが形成されている。
【００４０】
本実施の形態では、図３に示すように、角度Ｘが１１０度未満の領域ではクロスフローファン３の長軸方向にリアガイダ５が同一の形状（略同一の形状も含む）である。角度Ｘが１１０度以上の領域では、側壁１２近傍においては突出部５ａ２が形成されている。ここで、角度Ｘとは、クロスフローファン３の中心点からリアガイダ５とクロスフローファン３の最近接点Ａとを繋ぐ線と、クロスフローファン３の中心点からリアガイダ５の吹出し部Ｂとを繋ぐ線とのなす角度を意味する。言い換えると、角度Ｘとは、クロスフローファン３の中心点からリアガイダ５とクロスフローファン３の最近接点Ａとを繋ぐ線分と、クロスフローファン３の中心点から突出部５ａ２の形成開始部までを繋ぐ線分とがなす角度である。
【００４１】
このような構成とすることで、最近接点Ａから、吹き出し口にかかる流れが不安定な領域では、空気流れを安定させることが可能となる。同時に、側壁１２近傍にて、風速が遅くなり、剥離が生じる領域では、適切に流路を狭めることが可能となる。
【００４２】
なお、角度Ｘは、クロスフローファン３、スタビライザ４、リアガイダ５、の相対位置関係に応じて適切に設定すると良いが、８０°≦Ｘ≦１３０°の範囲で設定することが望ましい。Ｘが１３０°より大きくなると、突出部５ａ２が形成されている領域が小さすぎて、十分に静圧を向上させることができず、流れを安定化させることができない。Ｘが８０°より小さくなると、リアガイダ５上流側で突出部５ａ２が抵抗となり、吹出口から流れ出る風量が減少してしまう。
【００４３】
図７に、本実施の形態において、クロスフローファン３を同一回転数に固定し、リアガイダ５における突出部５ａ２の軸方向長さＬを変化させた場合の風量を示す。ここで、Ｒはクロスフローファン３の半径である。本構成では、Ｌ＝１．３Ｒで風量性能がピークとなるが、クロスフローファンの特性や通風抵抗の大きさに応じて、Ｒ／５≦Ｌ≦３Ｒの範囲でリアガイダ５における突出部５ａ２の軸方向長さＬを適宜調整すると良い。
【００４４】
また、図５に示す、吹き出し口先端における左右の側壁近傍の５ａ２の中央部５ａ１に対する段差Ｈ２も通風抵抗の大きさに応じて設定すると良い。
【００４５】
本実施の形態では、右側の側壁近傍にフィルター自動お掃除機能のノズル収納スペース（図示せず）を確保している。このため、特に右側側壁近傍で通風抵抗が高く、右側側壁近傍のリアガイダ５については、吹き出し口の出口の高さＨ１に対して、Ｈ２＝０．１１Ｈ１で風量性能がピークとなる。一方、比較的通風抵抗の低い左側側近傍ではＨ２＝０．０８Ｈ１で風量性能がピークとなる。
【００４６】
近年、省エネルギー性能向上のため、熱交換器が３列から４列以上で構成されるなど、熱交換器の高効率化のために通風抵抗が増大する傾向があるため、側壁近傍の静圧向上が必要となる。そのため、中央の主風路部の風量性能向上と側壁近傍の静圧向上の両立を実現可能な本実施の形態は、近年の省エネルギー性の高い空気調和機に特に有効である。
【００４７】
また、本実施の形態では、図４から図６、特に図５に示すように、段差部５ｂは、突出部５ａ２と中央部５ａ１とを滑らかに繋ぐ構成としている。ここで「滑らかに」とは、突出部５ａ２から中央部５ａ１にかけて高さが除々に小さくなることを意味する。本構成とすることで、段差部５ｂでの流れの剥離を抑制し、特に騒音低減を図った風量性能の高い空気調和機の室内ユニットが実現される。
【００４８】
図８にクロスフローファン３を同一回転数に固定し、段差部５ｂと５ａ１とのなす角度Ｄ１（図５参照）を変化させた場合の風量を示す。角度Ｄ１は、段差部５ｂの傾斜角度と言い換えることができる。
【００４９】
Ｄ１が９０度、即ち中央部５ａ１と突出部５ａ２とが段状である形体の風量を１００％とした場合、角度の縮小と共に風量性能が向上し、Ｄ１が３０度で風量性能がピークとなる。
【００５０】
Ｄ１は突出部５ａ２の中央部５ａ１に対する段差Ｈ２等に応じて適宜選択可能であるが、段差部５ｂにおける空気の流れの剥離を抑制するため、平均６０度以下で構成することが好ましい。
【００５１】
また、本実施の形態では、角度Ｄ１をほぼ一定で構成しており、本構成により、段差部５ｂでの流れの剥離を更に抑制することが可能となる。
【００５２】
なお、本実施の形態においては、左右両側の側壁１２近傍に突出部５ａ２を設ける構成について説明したが、左右どちらか一方に突出部５ａ２を設けてもよい。
【００５３】
本実施の形態においては、空気調和機の室内ユニットに用いた送風機を例に説明したが、クロスフローファンおよびケーシングで構成される送風機全般にも適用でき、特に側壁近傍で通風抵抗の高い送風機に有用である。
【００５４】
（実施の形態２）
次に、本発明に係る実施の形態２の送風機とこれを用いた空気調和機について図９を用いて説明する。図９は、空気調和機の左右風向き変更羽根２０と突出部５ａ２との位置関係を説明する図である。実施の形態２の送風機とこれを用いた空気調和機において、前述の実施の形態１と実質的に同一の機能、動作を示す部分には同一番号を付与し、その説明は省略する。また、実施の形態２の送風機とこれを用いた空気調和機における基本的な構成および動作は、実施の形態１の送風機とこれを用いた空気調和機における構成および動作と同様である。従って、実施の形態２の説明においては、左右風向き変更羽根２０と突出部５ａ２との位置関係ついてのみ説明する。
【００５５】
図９に示すように、リアガイダ５の下流には、回動可能に設けられ、吹き出し風の左右方向を変更する複数の左右風向き変更羽根２０が配設されている。リアガイダ５の段差部５ｂは、複数の左右風向き変更羽根２０のうち最も側壁側の羽根２０ａに対応する領域に配置されている。ここで「対応する領域」とは、最も側壁側の羽根２０ａをリアガイダ５に投影した領域を意味する。
【００５６】
左右風向き変更羽根２０が回動した場合、最も側壁側にある羽根２０ａと側壁１２との間の距離は、羽根２０ａの回動によって変化し、空気の流れは不安定で騒音が発生し易くなる。側壁１２は固定配置されているからである。これに対し、羽根２０ａ以外の隣接する羽根どうしの距離は、羽根が回動したとしても一定であり、空気の流れは安定的である。左右風向き変更羽根２０の複数の羽根はそれぞれが平行となるように回動するためである。
【００５７】
したがって、上述した構成により、突出部５ａ２を形成して通風路を狭くする領域を騒音が発生し易い領域に限定し、風速が速く、流れが安定している領域では通風路を最大限に確保することができる。
【００５８】
なお、段差部５ｂは、必ずしも最も側壁側の羽根２２ａに対応する領域内のみに配置されていなくてもよく、本実施形態の作用効果を奏する範囲内において、対応する領域外に所定の範囲外れていてもよい。
【００５９】
（実施の形態３）
次に、本発明に係る実施の形態３の送風機とこれを用いた空気調和機について図１０を用いて説明する。図１０は、スタビライザ４の出口側に設けられた突出部４ａ２を説明する図である。実施の形態３の送風機とこれを用いた空気調和機において、前述の実施の形態１と実質的に同一の機能、動作を示す部分には同一番号を付与し、その説明は省略する。また、実施の形態３の送風機とこれを用いた空気調和機における基本的な構成および動作は、実施の形態１の送風機とこれを用いた空気調和機における構成および動作と同様である。
【００６０】
本実施の形態では、スタビライザ４の出口側には、端部４ｃからクロスフローファン３の回転軸方向に所定範囲に亘って、スタビライザ４の中央部４ａ１と比べてリアガイダ５側に突出している突出部４ａ２が形成されている。スタビライザ４の出口側には、突出部４ａ２、段差部４ｂ、中央部４ａ１が形成されている。
【００６１】
これにより、突出部４ａ２が形成されている領域の通風路１３は、中央部４ａ１における通風路１３よりも幅が狭くなる。その結果、風速が速く、流れが安定している中央部４ａ１では通風路１３を最大限に確保できる。これに対し、風速が遅く、流れが不安定な側壁１２近傍では、静圧を向上させ、流れを安定させる構成が可能となる。従って、風量性能の向上と側壁近傍の流れの剥離に伴う騒音の低減の両立が実現できる。
【００６２】
なお、左右両側の側壁１２近傍に突出部４ａ２を設けてもよいし、左右どちらか一方に突出部４ａ２を設けてもよい。また、スタビライザ４の突出部４ａ２は、リアガイダ５の突出部５ａ２と共に設けてもよい。リアガイダ５の突出部５ａ２は設けず、スタビライザ４にのみ突出部４ａ２を設ける構成であってもよい。
【００６３】
スタビライザ４とリアガイダ５の両方に突出部を設ける場合、スタビライザ４の段差部４ｂは、リアガイダ５の段差部５ｂと比べて、軸方向に関し、同じ領域に配置されていてもよいし、側壁側もしくは中央部側に配置されていてもよい。なお、スタビライザ４の段差部４ｂは、リアガイダ５の段差部５ｂと比べて、軸方向に関し、側壁側に配置されていることが好ましい。リアガイダ５の突出部５ａ２の軸方向長さを、スタビライザ４の突出部４ａ２の軸方向長さより大きくすることで、より側壁近傍の流れの剥離に伴う騒音の低減が実現できる。これは、クロスフローファン３から吹き出せれる風の主流（大部分の風）は、リアガイダ５に沿って流れてくるためである。
【産業上の利用可能性】
【００６４】
本発明は、クロスフローファンを用いた送風機において、主流となる中央部および側壁近傍の風量性能を向上させると同時に、側壁近傍の剥離を抑制することで流れを安定させ、騒音の低減を図ることができる。従って、空気調和機の室内ユニットやクロスフローファンを用いた送風機全般に有用である。
【符号の説明】
【００６５】
１  本体
１ａ  吸込み口
１ｂ  吹き出し口
２  熱交換器
３  クロスフローファン
４  スタビライザ
４ａ１  中央部
４ａ２  突出部
４ｂ  段差部
４ｃ  端部
５  リアガイダ
５ａ１  中央部
５ａ２  突出部
５ｂ  段差部
５ｃ  端部
６  上下羽根
１２  側壁
１３  通風路
２０  左右風向き変更羽根
【図１】
2014199589.tif 000003
【図２】
2014199589.tif 000004
【図３】
2014199589.tif 000005
【図４】
2014199589.tif 000006
【図５】
2014199589.tif 000007
【図６】
2014199589.tif 000008
【図７】
2014199589.tif 000009
【図８】
2014199589.tif 000010
【図９】
2014199589.tif 000011
【図１０】
2014199589.tif 000012
【図１１】
2014199589.tif 000013
【図１２】
2014199589.tif 000014
【国際調査報告】
2014199589.tif 000015
2014199589.tif 000016
2014199589.tif 000017
2014199589.tif 000018